(57)【要約】【課題】  エレベータの乗場やかご内等に設置される面発光体を使用した表示、照明装置において、多数の面発光体を組み合わせて使用したときに発生する、発光部と非発光部との混在による照明のムラを減少させること。【解決手段】  面発光体４０の背面３０ｒ側に光源４１，ＬＥＤ４２を設置し、ＬＥＤからの光が反射面４３を介して導光板３０へ導かれるように構成した。これによって非発光部である光源４１が表面３０ｆ側から見えなくなるので、照明のムラを減少させることができる。【選択図】      図１
2008013325.tif 000002
【特許請求の範囲】
【請求項１】
エレベータの乗場やかご内等に設置される表示、照明装置に使用される面発光体であって、該面発光体は表面、背面、１以上の側面を有する平板状の導光板と、該導光板の少なくとも一側面部に光源を備えたものにおいて、
前記光源は背面側に設置され、前記一側面部には前記表面から所定角度傾斜した反射面を備え、前記光源から発せられた光が前記反射面を介して、前記導光板に入る構成としたことを特徴とするエレベータ等の表示、照明装置。
【請求項２】
前記一側面部の前記表面からの所定角度αは、前記一側面部と対向する側面部の前記表面からの所定角度β以上の大きさであることを特徴とする請求項１に記載のエレベータ等の表示、照明装置。
【請求項３】
前記背面には、導光印刷が施されていることを特徴とする請求項１又は２に記載のエレベータ等の表示、照明装置。
【請求項４】
前記導光板は、透明体からなり、背面及び前記光源の配置されていない側面には反射シートが設けられていることを特徴とする請求項１乃至３の何れかに記載のエレベータ等の表示、照明装置。
【発明の詳細な説明】
【技術分野】
【０００１】
本発明は、エレベータの乗場やかご内、或いはエスカレータの欄干パネル等に設置される表示、照明装置の改良に関するものである。
【背景技術】
【０００２】
図３に示すように、エレベータの乗場には、三方枠４や乗場ドア５が取り付けられている壁面に、乗場ボタン１、かご位置を表示するインジケータ２、ホールランタン３などの表示装置が配置されている。これらの表示装置の光源として、従来は白熱灯が使用されることが多かったが、エレベータはスペース的な制限が多いので省スペースのため、及び省エネルギーのために、近年はＬＥＤを使用したものが増えている。
【０００３】
図４はＬＥＤを使った面発光体を使用したホールランタン２０の断面図、図５（ａ），（ｂ）は面発光体を示す図である。図において、１３ａ，１３ｂは透光体、２１はフェースプレート、２２は底板、２３ａ，２３ｂは面発光体、２４はプリント板、２５はホールランタン２０を乗場壁６に固定するアンカーボルト、１８は配線である。
【０００４】
３０は透明アクリルの透光体からなる導光板、３１はＬＥＤ基板に発光色の異なるＬＥＤ３２，３３が交互に配置された光源で、例えば３２は発光色が黄色のＬＥＤ、３３は同じく赤色のＬＥＤである。導光板３０の対向する二側面には光源３１が配置され、表面には表示透光体１３ａ又は１３ｂが配置されている。また光源３１が配置された側面及び表面以外の面は遮光面になっている。更に背面３０ｒには導光印刷が施され、その外側及び側面遮光面には反射シート３５が設けられており，面発光体２３ａ，２３ｂの表面全体が均一に光るように構成している。３４は導光板３０の表面に設けた透光性の拡散シートである。
このような構成であるから、白熱灯を使用したものに比べて、ホールランタン２０を薄型化できる。また、この面発光体２３ａ，２３ｂはインジケータ２や乗場ボタン１の発光部に使用することができる。尚透光体１３は省略して使用することもできる。
【０００５】
【特許文献１】国際公開第ＷＯ０２／０７６８７０号パンフレット
【発明の開示】
【発明が解決しようとする課題】
【０００６】
前記従来技術では、導光板３０は面発光するため明るいが、光源３１の部分が非発光のため影になる。そのため、かご天井照明のように、広い面積の面発光体が必要な場合には、多数の面発光体２３ａ，２３ｂを組み合わせて使用することになる。そうすると、発光している導光板３０と非発光の光源３１部分が交互に現れることになり、照明にムラが発生してしまうという問題があった。これを解決するために、面発光体２３ａ，２３ｂを大型にすると、技術的にも難しくまたコストアップになるという問題が出てくる。
【課題を解決するための手段】
【０００７】
本発明は、エレベータの乗場やかご内等に設置される表示、照明装置に使用される面発光体であって、該面発光体は表面、背面、１以上の側面を有する平板状の導光板と、該導光板の少なくとも一側面部に光源を備えたものにおいて、前記光源は背面側に設置され、前記一側面部には前記表面から所定角度傾斜した反射面を備え、前記光源から発せられた光が前記反射面を介して、前記導光板に入る構成としたことを特徴とするエレベータ等の表示、照明装置である。
【０００８】
また本発明は、前記一側面部の前記表面からの所定角度αは、前記一側面部と対向する側面部の前記表面からの所定角度β以上の大きさとしたものである。
また本発明は、前記背面には、導光印刷が施されている表示、照明装置である。
更に本発明は、前記導光板は、透明体からなり、背面及び前記光源の配置されていない側面には反射シートが設けられている表示、照明装置である。
【発明の効果】
【０００９】
本発明は光源が表面側に出ないので、表面から見て非発光部を減少させることができる。これにより多数の面発光体を使用して照明装置を構成しても、照明のムラを少なくすることができる。
【発明を実施するための最良の形態】
【００１０】
本発明の実施の形態を図１により説明する。図１は面発光体４０を示す図であり、図４（ａ）に相当する図であり、図４（ａ）と同一符合は同一のものを示している。
図において、４１は導光板３０の一側面側であって、背面３０ｒ側に設けられた光源、４２は光源４１に設置されたＬＥＤである。４３は導光板３０の表面３０ｆから角度α傾斜した反射面でありＬＥＤ４２からの光を導光板３０に導くものであり、ここではα＝４５度としている。４４は反射面４３と対向する側の側面であり表面３１ｆから角度β傾斜している。この実施形態では、α＝β、即ち反射面４３と対向する側面４４とは平行になっているので、面発光体４０を図１の左右方向に並設すると反射面４３と対向する側面４４は重なり合う。
【００１１】
本実施の形態は前記の構成なので、光源４１が表面３０ｆ側からは見えない。そのため面発光体４０を複数並べて照明装置を構成した場合、図１の左右方向では、非発光部は反射面４３と対向する側面４４の境界部分のみであるため、ほとんど目立たない。また、図１の前後方向では、光源のない側面同士が接するので、やはり非発光部は側面同士の境界部分のみであるから、ほとんど目立たない。
このように本実施の形態によれば、面発光体を多数並設しても照明のムラの少ない表示、照明装置を実現することができる。
【００１２】
前記実施形態において、光源４１とＬＥＤ４２の高さが高い場合には光源４１から表面３０ｆまでの距離が長くなり、面発光体４０の厚さが厚くなることになる。
そこで、図２に示すように光源４１を背面３０ｒと平行に設置し、反射面４３ａを追加する構成にするこできる。この構成であれば、光源４１とＬＥＤ４２の高さが高くても面発光体４０の厚さを抑えることができる。
【００１３】
前記各実施形態では、角度αを４５度としているが、これに限ることはない。角度αを変更することにより、面発光体４０の発光状態を意図的に変更することができる。例えば、α＞βとすると、表面側は隙間がなく、背面側には隙間ができることになるので、この隙間を表示・照明装置の取付に利用することができる。
更に色の異なる表示・照明装置をモザイク状やランダム等に配置することにより、特異な意匠効果を奏することができる。また本発明はエレベータに限らず、エスカレータの欄干パネルの表示・照明にも使用することができる。
【図面の簡単な説明】
【００１４】
【図１】本発明の実施の形態を示す図で、面発光体の断面図である。
【図２】本発明の他の実施の形態を示す図である。
【図３】エレベータの乗場を示す図である。
【図４】ホールランタンの断面図である。
【図５】従来の面発光体を示す図である。
【符号の説明】
【００１５】
２３ａ，２３ｂ，４０  面発光体
３０  導光板
３０ｆ  導光板の表面
３０ｒ  導光板の背面
３１，４１  光源
３２，３３，４２  ＬＥＤ
３５  反射シート
４３，４３ａ  反射面
【図１】
2008013325.tif 000003
【図２】
2008013325.tif 000004
【図３】
2008013325.tif 000005
【図４】
2008013325.tif 000006
【図５】
2008013325.tif 000007